(57)【特許請求の範囲】
【請求項１】
光学部品を傾き調整自在に保持する光学部品保持装置において、
互いに独立し所定の距離を介して上記光学部品面に配設された第１の保持手段、第２の保持手段及び第３の保持手段を用いることによって上記光学部品の上下方向及び横方向の傾きをそれぞれ独立に調整する光学部品保持手段を具え、
上記第１の保持手段は、
第１の偏心カムと、
上記光学部品を上記第１の偏心カムに押し付けるように当該光学部品と光学部品保持機構の筐体との間に配設された弾性力を有する第１の弾性部材とを具え、
上記第１の偏心カムを回転させたときに上記第１の弾性部材が当該第１の偏心カムの形状に合わせて変形することにより、所定の第１の軸を中心として上記光学部品の上下方向の傾きを調整し、
上記第２の保持手段及び上記第３の保持手段は、
それぞれ第２の偏心カム及び第３の偏心カムと、
上記光学部品をそれぞれ上記第２の偏心カム及び上記第３の偏心カムに押し付けるように当該光学部品と光学部品保持機構の筐体との間にそれぞれ配設された弾性力を有する第２の弾性部材及び第３の弾性部材とを具え、
それぞれ上記第２の偏心カム及び上記第３の偏心カムを回転させたときに上記第２の弾性部材及び上記第３の弾性部材がそれぞれ当該第２の偏心カム及び当該第３の偏心カムの形状に合わせて変形することにより、上記第１の軸と直交する第２の軸を中心として上記光学部品の横方向の傾きを調整する
光学部品保持装置。
【請求項２】
上記光学部品は、ミラーでなる
請求項１に記載の光学部品保持装置。
【請求項３】
上記第１の弾性部材、上記第２の弾性部材及び上記第３の弾性部材は、ゴム、圧縮コイルばね又は板ばねでなる
請求項１に記載の光学部品保持装置。
【請求項４】
供給される映像信号に基づいて光ビームを空間変調し、得られた映像光を投影レンズを介して外部に発射するプロジェクタ装置において、
上記映像信号に基づいて上記光ビームを上記空間変調する空間変調素子と、上記光ビームを上記空間変調素子に向けて偏向する光学部品と、
互いに独立し所定の距離を介して上記光学部品面に配設された第１の保持手段、第２の保持手段及び第３の保持手段を用いることによって上記光学部品の上下方向及び横方向の傾きをそれぞれ独立に調整する光学部品保持手段を具え、
上記第１の保持手段は、
第１の偏心カムと、
上記光学部品を上記第１の偏心カムに押し付けるように当該光学部品と光学部品保持機構の筐体との間に配設された弾性力を有する第１の弾性部材とを具え、
上記第１の偏心カムを回転させたときに上記第１の弾性部材が当該第１の偏心カムの形状に合わせて変形することにより、所定の第１の軸を中心として上記光学部品の上下方向の傾きを調整し、
上記第２の保持手段及び上記第３の保持手段は、
それぞれ第２の偏心カム及び第３の偏心カムと、
上記光学部品をそれぞれ上記第２の偏心カム及び上記第３の偏心カムに押し付けるように当該光学部品と光学部品保持機構の筐体との間にそれぞれ配設された弾性力を有する第２の弾性部材及び第３の弾性部材とを具え、
それぞれ上記第２の偏心カム及び上記第３の偏心カムを回転させたときに上記第２の弾性部材及び上記第３の弾性部材がそれぞれ当該第２の偏心カム及び当該第３の偏心カムの形状に合わせて変形することにより、上記第１の軸と直交する第２の軸を中心として上記光学部品の横方向の傾きを調整する
プロジェクタ装置。
【請求項５】
上記光学部品は、ミラーでなる
請求項４に記載のプロジェクタ装置。
【発明の詳細な説明】
【０００１】
【発明の属する技術分野】
本発明は光学部品保持装置及びプロジェクタ装置に関し、例えば透過型液晶プロジェクタ装置に適用して好適なものである。
【０００２】
【従来の技術】
従来、透過型液晶プロジェクタ装置においては、供給される映像信号に基づく映像の青色成分、緑色成分及び赤色成分を３つの透過型液晶パネルにそれぞれ白抜きの状態で表示させると共に、これら各透過型液晶パネルに青色光、緑色光及び赤色光を照射し、当該青色光、緑色光及び赤色光が対応する透過型液晶パネルを透過することにより得られた映像の青色成分光、緑色成分光及び赤色成分光をプリズム等を用いて重ね合わせることによりカラー映像光を生成し得るようになされている。
【０００３】
そしてこのような透過型液晶プロジェクタ装置では、青色光、緑色光及び赤色光の透過型液晶パネルに対する照明範囲を調整自在にするため、これら青色光、緑色光及び赤色光を傾き調整自在に保持されたミラーを介して透過型液晶パネルに導入するようになされていた。
【０００４】
ここで図６〜図８は、このような透過型液晶プロジェクタ装置における従来のミラーの保持機構（以下、これをミラー保持機構１と呼ぶ）を示すものである。
【０００５】
かかるミラー保持機構１においては、透過型液晶プロジェクタ装置の筐体本体の底面に突出形成されたダボ２Ａと、当該ダボ２Ａと距離を介して突出形成された板状のベース２Ｂと、保持対象のミラー３及びベース２Ｂ間に配設された第１の板ばね４とを有し、第１の板ばね４の弾性力によってミラー３をダボ２Ａに押しつけるように付勢するようにして当該ミラー３の下端部における幅方向の中央部を保持し得るようになされている。
【０００６】
またミラー保持機構１においては、筐体蓋体５に固定されたＬ字状のブラケット６と、ミラー３の幅方向の両端部にそれぞれ対応させて筐体蓋体５に固着された第２及び第３の板ばね７、８とを有し、第２及び第２の板ばね７、８の弾性力によってミラー３をブラケット６に付勢するようにして当該ミラー３の上端部を保持し得るようになされている。
【０００７】
このときブラケット６は、ミラー３に近接又は離反する方向と平行に形成された一対の長穴６Ａ、６Ｂをそれぞれ介してねじ９Ａ、９Ｂを筐体蓋体５に螺着するようにして当該筐体蓋体５に固定されており、かくしてこれら両方のねじ９Ａ、９Ｂを緩めることによって、ブラケット６を全体として長穴６Ａ、６Ｂに沿ってミラー３に近接又は離反する方向に移動させ得、また一方のねじ９Ａ、９Ｂのみを緩めることによって他方のねじ９Ｂ、９Ａを中心として回転させ得るようになされている。
【０００８】
これによりこのミラー保持機構１においては、ブラケット６を全体としてミラー３に近接又は離反させる方向（矢印ｘ1 方向又はこれと逆方向）に平行移動させることによって、ミラー３をダボ２Ａとの接点を支点として上下方向に傾けることができると共に、ブラケット６を一方のねじ７、８を中心として回転させることによって、当該ミラー３をダボ２Ａとの接点を通る矢印ｚ1 と平行な軸を中心として回転させるように横方向に傾けることができる。
【０００９】
このように従来の透過型液晶プロジェクタ装置においては、ミラー保持機構１のブラケット６を操作することによってミラー３の傾き状態を当該ミラー３の反射面３Ａにおける２軸方向に自在に回転させるように調整することができ、これにより当該ミラー３において反射する青色光、緑色光又は赤色光の透過型液晶パネルに対する照明範囲を調整し得るようになされていた。
【００１０】
【発明が解決しようとする課題】
ところがかかる従来のミラー保持機構１では、上述のようにブラケット６をミラー３に近接又は離反させる方向に平行移動させるようにしてミラー３の１軸方向の傾きを調整し、当該ブラケット６を回転させるようにしてミラー３のもう１軸方向の傾きを調整するように構築されているため、ミラー３のこれら２軸方向の傾き調整を個別に独立して行い難く、また調整を自動化させ難い問題があった。
【００１１】
またかかるミラー保持機構１では、筐体本体２に設けられたダボ２Ａ及び第１の板ばね４によってミラー３の下端中央部を挟み込むように保持すると共に、当該ミラー３の上端部を筐体蓋体５に配設されたブラケット６と、第２及び第３の板ばね７、８とによって挟み込むように保持するようになされていたため、例えば筐体内の光学部品等を交換するときなどにおいて筐体蓋体５を筐体本体２から取り外すと、ミラー３の傾き調整がリセットされる問題があった。
【００１２】
そしてこのようにミラー３の傾き調整がリセットされた場合、透過型液晶パネルに対する青色光、緑色光及び赤色光の照明範囲が変化するために、透過型液晶パネルの映像表示面内に青色光、緑色光又は赤色光の全部又は一部が入射しなくなり、青色成分、緑色成分及び赤色成分の一部又は全部が欠落したカラー映像光が生成される。
【００１３】
このためかかる従来の透過型液晶プロジェクタ装置では、部品交換時などのように筐体蓋体５を開けたときには、必ずミラー３をそれぞれ保持するミラー保持機構１のブラケット６を操作して高精度に各ミラー３の傾き調整を行う必要があり、このため部品の交換作業が煩雑化する問題があった。
【００１４】
本発明は以上の点を考慮してなされたもので、光学部品の傾き調整を容易化させ得る光学部品保持装置及びプロジェクタ装置を提案しようとするものである。
【００１５】
【課題を解決するための手段】
かかる課題を解決するため本発明においては、光学部品を傾き調整自在に保持する光学部品保持装置において、互いに独立し所定の距離を介して光学部品面に配設された第１の保持手段、第２の保持手段及び第３の保持手段を用いることによって光学部品の上下方向及び横方向の傾きをそれぞれ独立に調整する光学部品保持手段を具え、第１の保持手段は、第１の偏心カムと、光学部品を第１の偏心カムに押し付けるように当該光学部品と光学部品保持機構の筐体との間に配設された弾性力を有する第１の弾性部材とを具え、第１の偏心カムを回転させたときに第１の弾性部材が当該第１の偏心カムの形状に合わせて変形することにより、所定の第１の軸を中心として光学部品の上下方向の傾きを調整し、第２の保持手段及び第３の保持手段は、それぞれ第２の偏心カム及び第３の偏心カムと、光学部品をそれぞれ第２の偏心カム及び第３の偏心カムに押し付けるように当該光学部品と光学部品保持機構の筐体との間にそれぞれ配設された弾性力を有する第２の弾性部材及び第３の弾性部材とを具え、それぞれ第２の偏心カム及び第３の偏心カムを回転させたときに第２の弾性部材及び第３の弾性部材がそれぞれ当該第２の偏心カム及び当該第３の偏心カムの形状に合わせて変形することにより、第１の軸と直交する第２の軸を中心として光学部品の横方向の傾きを調整するようにした。
【００１６】
この結果この光学部品保持装置では、光学部品を、互いに独立した第１の保持手段、第２の保持手段及び第３の保持手段を用いて、２軸方向の傾きを個別に調整できるように保持することができる。
【００１７】
また本発明においては、プロジェクタ装置において、互いに独立し所定の距離を介して光学部品面に配設された第１の保持手段、第２の保持手段及び第３の保持手段を用いることによって光学部品の上下方向及び横方向の傾きをそれぞれ独立に調整する光学部品保持手段を具え、第１の保持手段は、第１の偏心カムと、光学部品を第１の偏心カムに押し付けるように当該光学部品と光学部品保持機構の筐体との間に配設された弾性力を有する第１の弾性部材とを具え、第１の偏心カムを回転させたときに第１の弾性部材が当該第１の偏心カムの形状に合わせて変形することにより、所定の第１の軸を中心として光学部品の上下方向の傾きを調整し、第２の保持手段及び第３の保持手段は、それぞれ第２の偏心カム及び第３の偏心カムと、光学部品をそれぞれ第２の偏心カム及び第３の偏心カムに押し付けるように当該光学部品と光学部品保持機構の筐体との間にそれぞれ配設された弾性力を有する第２の弾性部材及び第３の弾性部材とを具え、それぞれ第２の偏心カム及び第３の偏心カムを回転させたときに第２の弾性部材及び第３の弾性部材がそれぞれ当該第２の偏心カム及び当該第３の偏心カムの形状に合わせて変形することにより、第１の軸と直交する第２の軸を中心として光学部品の横方向の傾きを調整するようにした。
【００１８】
この結果このプロジェクタ装置では、光学部品を、互いに独立した第１の保持手段、第２の保持手段及び第３の保持手段を用いて、２軸方向の傾きを個別に調整できるように保持することができる。
【００１９】
【発明の実施の形態】
以下図面について、本発明の一実施の形態を詳述する。
【００２０】
（１）本実施の形態による透過型液晶プロジェクタ装置の構成
図１において、１０は全体として本発明を適用した透過型液晶プロジェクタ装置を示す。この通過型液晶プロジェクタ装置１０では、光源ランプ１１から発射された光ビームＬ１を第１及び第２のフライアイレンズ１２、１３において輝度を均一化した後、Ｐ／Ｓコンバータ１５においてＳ偏光波に変換する。
【００２１】
そしてこの光ビームＬ１を集光レンズ１５及びミラー１６を順次介して第１のダイクロイックミラー１７に導入する共に、当該第１のダイクロイックミラー１７において光ビームＬ１の青色成分を分離抽出し、得られた青色光ＬB1をミラー１８を介して第１の透過型液晶パネル１９に照射する。
【００２２】
また第１のダイクロイックミラー１７を透過した光ビームＬ２は、この後第２のダイクロイックミラー２０に入射し、当該第２のダイクロイックミラー２０において緑色成分が分離抽出される。そしてこの分離抽出された光ビームＬ２の緑色成分でなる緑色光ＬG1が第２の透過型液晶パネル２１に入射する。
【００２３】
さらに第２のダイクロイックミラー２０を透過した光ビームＬ２の赤色成分でなる赤色光ＬR1は、この後ミラー２２、集光レンズ２３、ミラー２４を順次介して第３の透過型液晶パネル２４に入射する。
【００２４】
このとき第１〜第３の透過型液晶パネル１９、２１、２４には、それぞれ外部から与えられる映像信号に基づく映像の青色成分、緑色成分及び赤色成分でなる部分的な映像が白抜きの状態で表示される。
【００２５】
この結果これら第１〜第３の透過型液晶パネル１９、２１、２４にそれぞれ入射した青色光ＬB1、緑色光ＬG1及び赤色光ＬR1が対応する第１〜第３の透過型液晶パネル１９、２１、２４において空間変調され、得られた映像青色成分光ＬB2、映像緑色成分光ＬG2及び映像赤色成分光ＬR2がそれぞれプリズム２５に入射する。
【００２６】
そしてこれら映像青色成分光ＬB2、映像緑色成分光ＬG2及び映像赤色成分光ＬR2は、この後プリズム２５において重ね合わせられ、かくして得られた外部から供給された映像信号に基づくカラー映像光ＬC が投影レンズ２６を介してスクリーン上に結像される。
【００２７】
このようにしてこの透過型液晶プロジェクタ装置１０においては、供給される映像信号に基づくカラー映像をスクリーンに投影し得るようになされている。
【００２８】
（２）本実施の形態によるミラー保持機構の構成
ここでこの透過型液晶プロジェクタ装置１０の場合、第１〜第３の透過型液晶パネル１９、２１、２４に対する青色光ＬB1、緑色光ＬG1及び赤色光ＬR1の照明範囲調整用の各ミラー１８、１６、２２は、それぞれ図２に示すミラー保持機構３０により保持されている。
【００２９】
この場合かかるミラー保持機構３０においては、筐体本体３１の底面に回転自在に植立された回転軸３２Ａ及び当該回転軸３２Ａの上端部に偏心させて形成された円板形状の原動節３２Ｂからなる第１のカム３２と、筐体本体３１の底面に第１のカム３２と距離を介して立設された板状のベース３１Ａと、ミラー１８（１６、２２）及びベース３１Ａ間に配設された例えばゴム材からなる第１の弾性部材３３Ａとを有し、第１の弾性部材３３Ａの弾性力によってミラー１８（１６、２２）を第１のカム３２の原動節３２Ｂに押しつけるようにして当該ミラー１８（１６、２２）の下端中央部を保持し得るようになされている。
【００３０】
また第１のカム３２と同じミラー１８（１６、２２）の反射面１８Ａ（１６Ａ、２２Ａ）側には、ミラー１８（１６、２２）の幅方向の一端部に対向させて、筐体本体３１の底面に回転自在に植立された回転軸３４Ａと、当該回転軸３４Ａの上端部に偏心させて形成された円板形状の原動節３４Ｂとからなる第２のカム３４が配設されると共に、ミラー１８（１６、２２）の幅方向の他端部に対応させて、筐体本体３１の底面に回転自在に植立された回転軸３５Ａと、当該固定軸３５Ａの上端部に偏心させて形成された円板形状の原動節３５Ｂとからなる第３のカム３５が配設されている。
【００３１】
このとき第２のカム３４の回転軸３４Ａ及び第３のカム３５の回転軸３５Ａの長さは、それぞれミラー１８（１６、２２）の高さのほぼ半分程度に選定されており、かくして第２のカム３４の原動節３４Ｂ及び第３のカム３５の原動節３５Ｂがそれぞれミラー１８（１６、２２）の高さの方向のほぼ半分の同じ高さ位置において当該ミラー１８（１６、２２）の反射面１８Ａ（１６Ａ、２２Ａ）と接触し得るようになされている。
【００３２】
さらにミラー１８（１６、２２）及びベース３１Ａ間には、第２のカム３４の原動節３４Ｂ及び第３のカム３５の原動節３５Ｂにそれぞれ対応させて例えばゴム材からなる第２及び第３の弾性部材３３Ｂ、３３Ｃがそれぞれ配設されており、かくして第２の弾性部材３３Ｂの弾性力によってミラー１８（１６、２２）を第２のカム３４の原動節３４Ｂに押しつけるようにして当該ミラー１８（１６、２２）の幅方向の一端部を保持し、かつ第３の弾性部材３３Ｃの弾性力によってミラー１８（１６、２２）を第３のカム３５の原動節３５Ｂに押しつけるようにして当該ミラー１８（１６、２２）の幅方向の他端部を保持し得るようになされている。
【００３３】
これによりこのミラー保持機構３０においては、例えば図３に示すように、第１のカム３２をその回転軸３２Ａを中心として矢印ａ方向に回転させることによって、第２のカム３４の原動節３４Ｂ及びミラー１８（１６、２２）の反射面１８Ａ（１６Ａ、２２Ａ）の接点と、第３のカム３５の原動節３５Ｂ及びミラー１８（１６、２２）の反射面１８Ａ（１６Ａ、２２Ａ）の接点とを通る矢印ｙ2 方向と平行な第１の軸Ｋ１を中心として、ミラー１８（１６、２２）を矢印ｂ方向に回転させ得るようになされている。
【００３４】
またこのミラー保持機構３０においては、図４に示すように、第２、第３のカム３４、３５をその回転軸３４Ａ、３５Ａを中心として矢印ｃ方向又は矢印ｄ方向に回転させることによって、第１のカム３２の原動節３２Ｂとミラー１８（１６、２２）との接点を通り、かつ第１の軸Ｋ１と直交する第２の軸Ｋ２を中心として、当該ミラー１８（１６、２２）を矢印ｅ方向に回転させ得るようになされている。
【００３５】
このためこのミラー保持機構３０においては、図５に示すように、第１〜第３のカム３２、３４、３５の各原動節３２Ｂ、３４Ｂ、３５Ｂの周側面３２ＢＸ、３４ＢＸ、３５ＢＸが円弧状に形成されており、かくして第１〜第３のカム３２、３４、３５が回転されることによりミラー１８（１６、２２）の傾きが変化した場合においても、これら第１〜第３のカム３２、３４、３５の各原動節３２Ｂ、３４Ｂ、３５Ｂの周側面３２ＢＸ、３４ＢＸ、３５ＢＸが確実に一点でミラー１８（１６、２２）の反射面１８Ａ（１６Ａ、２２Ａ）と接触した状態を保ち得るようになされている。
【００３６】
なおこの実施の形態の場合、図２及び図４からも明らかなように、各ミラー保持機構３０の第１〜第３のカム３２、３４、３５の各原動節３２Ｂ、３４Ｂ、３５Ｂの上面にはそれぞれ十字状のドライバ用溝３２ＢＹ、３４ＢＹ、３５ＢＹが設けられており、かくしてこれら第１〜第３のカム３２、３４、３５をドライバを用いて容易に回転駆動させることができるようになされている。
【００３７】
またこの実施の形態の場合、図３からも明らかなように、筐体蓋体３６には、各ミラー保持機構３０の第１〜第３のカム３２、３４、３５の各原動節３２Ｂ、３４Ｂ、３５Ｂとそれぞれ対向させて開口部３６Ａが穿設されている。
【００３８】
これによりこの透過型液晶プロジェクタ装置１０では、筐体蓋体３６の開口部３６Ａを介してドライバを挿入するようにして所望するミラー保持機構３０の第１〜第３のカム３２、３４、３５を回転駆動させることができ、かくして筐体蓋体３６が筐体本体３１に嵌め合わされた状態においてもミラー１８（１６、２２）の傾き状態を自在に調整することができるようになされている。
【００３９】
（３）本実施の形態の動作及び効果
以上の構成において、この透過型液晶プロジェクタ装置１０では、ミラー保持機構３０の第１のカム３２を回転させることによって当該ミラー保持機構３０に保持されたミラー１８、１６、２２の上下方向の傾き（矢印ｂ方向の傾き）を調整することができ、またミラー保持機構３０の第２及び又は第３のカム３４、３５を回転させることによって当該ミラー保持機構３０に保持されたミラー１８、１６、２２の横方向の傾き（矢印ｅ方向の傾き）を調整することができる。
【００４０】
従ってこの透過型液晶プロジェクタ装置１０では、各ミラー１８、１６、２２のその反射面１８Ａ、１６Ａ、２２において直交する２軸方向の傾き状態をそれぞれ個別にかつ容易に調整することができ、かくして透過型液晶パネル１９、２１、２４に対する青色光ＬB1、緑色光ＬG1及び赤色光ＬR1の照明範囲を２軸個別に調整することができる。
【００４１】
この場合においてこの透過型液晶プロジェクタ装置１０では、ミラー１８、１６、２２を第１の軸Ｋ１を中心として回転自在に保持する第２及び第３のカム３４、３５が第２の軸Ｋ２を中心とする回転の調整機構となり、また当該ミラー１８、１６、２２を第２の軸を中心として回転自在に保持する第１のカム３２が第１の軸Ｋ１を中心とする回転の調整機構となっているため、ミラー保持機構３０を簡易に構築することができる。
【００４２】
またこの透過型液晶プロジェクタ装置１０では、ミラー保持機構３０の全ての構成部材が筐体本体３１側に設けられているため、筐体蓋体３６を開けた場合においても各ミラー１８、１６、２２の傾き調整がリセットされることはない。
【００４３】
さらにこの透過型液晶プロジェクタ装置１０では、ミラー１８、１６、２２の傾き調整をミラー保持機構３０の第１〜第３のカム３２、３４、３５を回転させるだけで行うことができるため、当該ミラー１８、１６、２２の傾き調整（すなわち透過型液晶パネル１９、２１、２４に対する青色光ＬB1、緑色光ＬG1及び赤色光ＬR1の照明範囲の調整）を専用の機器を用いて自動的に行い得るようにすることができる。
【００４４】
以上の構成によれば、ミラー１８、１６、２２を第１のカム３２及び第１の弾性部材３３Ａにより第２の軸Ｋ２を中心として回転自在に保持すると共に、当該ミラー１８、１６、２２を第２のカム３４及び第２の弾性部材３３Ｂと、第３のカム３５及び第３の弾性部材３３Ｃとにより第２の軸Ｋ２と直交する第１の軸Ｋ１を中心として回転自在に保持するようにしたことにより、ミラー１８、１６、２２の２軸方向の傾き状態をそれぞれ個別に調整し得るようにすることができ、かくしてミラー１８、１６、２２の傾き調整を容易化させ得る透過型液晶プロジェクタ装置を実現できる。
【００４５】
（４）他の実施の形態
なお上述の実施の形態においては、本発明を空間変調素子として透過型液晶パネル１９、２１、２４を用いた透過型液晶プロジェクタ装置１０に適用するようにした場合について述べたが、本発明はこれに限らず、空間変調素子として反射型液晶パネルや、微小な鏡面素子が映像の画素配列と同様にマトリクス状に配列されてなる空間変調素子等が用いられたこの他種々のプロジェクタ装置に広く適用することができる。
【００４６】
また上述の実施の形態においては、本発明による光学部品保持装置を透過型液晶プロジェクタ装置１０におけるミラー保持機構３０に適用するようにした場合について述べたが本発明はこれに限らず、この他種々の光学部品を保持する光学部品保持装置としてプロジェクタ装置以外にも広く適用することができる。
【００４７】
さらに上述の実施の形態においては、ミラー保持機構３０を筐体本体３１に配設するようにした場合について述べたが、本発明はこれに限らず、例えば筐体蓋体３６側に配設するようにしても良く、要は、筐体を形成する第１及び第２の筐体半体のいずれか一方にのみ配設するようにすれば良い。
【００４８】
さらに上述の実施の形態においては、ミラー１８、１６、２２を第１の軸Ｋ１を中心として回転自在に保持する第１の光学部品保持手段を、第２のカム３４及び第２の弾性部材３３Ｂと、第３のカム３５及び第３の弾性部材３３Ｃとにより構成するようにした場合について述べたが、本発明はこれに限らず、例えば第２及び第３のカム３４、３５に代えて２本のねじを、それぞれベース３１Ａの裏側から弾性部材等を介してミラー１８、１６、２２における第２のカム３４との接点位置の裏面側と、ミラー１８、１６、２２における第３のカム３５との接点位置の裏面側とに螺合するようにして当該ミラー１８、１６、２２を第１の軸Ｋ１を中心として回転自在に保持するようにしても良く、第１の光学部品保持手段の構成としては、この他種々の構成を広く適用することができる。
【００４９】
この場合において、第２、第３のカム３４、３５として偏心カム以外の例えば部分的に微小調整を行い得るように原動節の形状が設計されたカムを用いるようにしても良く、またミラー１８、１６、２２を第２、第３のカム３４、３５に押しつけるように付勢する付勢手段としてゴム材以外の例えば圧縮コイルばねや、板ばね又はスポンジ等のこの他種々の弾性部材を広く適用することができる。
【００５０】
また第３のカム３５に変えて位置出し用のピン等によりミラー１８、１６、２２の他端側を支持し、第２のカム３４を回転することによってミラー１８、１６、２２をピンと当該ミラー１８、１６、２２との接点を支点として横方向に回転させ得るようにしても良い。
【００５１】
さらに上述の実施の形態においては、ミラー１８、１６、２２を第２の軸Ｋ２を中心として回転自在に保持する第２の光学部品保持手段を第１のカム３２及び第１の弾性部材３３Ａにより構成するようにした場合について述べたが、本発明はこれに限らず、例えば第１のカム３２に代えてベース３１Ａの裏側から弾性部材等を介してミラー１８、１６、２２における第１のカム３２との接点位置の裏面側に螺合するようにして当該ミラー１８、１６、２２を第２の軸Ｋ２を中心として回転自在に保持するようにしても良く、第２の光学部品保持手段の構成としてはこの他種々の構成を広く適用することができる。
【００５２】
この場合において、第１のカム３２として偏心カム以外の例えば部分的に微小調整を行い得るように原動節の形状が設計されたカムを用いるようにしても良く、またミラー１８、１６、２２を第１のカム３２に押しつけるように付勢する付勢手段としてゴム材以外の例えば圧縮コイルばねや、板ばね又はスポンジ等のこの他種々の弾性部材を広く適用することができる。
【００５３】
【発明の効果】
上述のように本発明によれば、光学部品を傾き調整自在に保持する光学部品保持装置において、互いに独立し所定の距離を介して光学部品面に配設された第１の保持手段、第２の保持手段及び第３の保持手段を用いることによって光学部品の上下方向及び横方向の傾きをそれぞれ独立に調整する光学部品保持手段を具え、第１の保持手段は、第１の偏心カムと、光学部品を第１の偏心カムに押し付けるように当該光学部品と光学部品保持機構の筐体との間に配設された弾性力を有する第１の弾性部材とを具え、第１の偏心カムを回転させたときに第１の弾性部材が当該第１の偏心カムの形状に合わせて変形することにより、所定の第１の軸を中心として光学部品の上下方向の傾きを調整し、第２の保持手段及び第３の保持手段は、それぞれ第２の偏心カム及び第３の偏心カムと、光学部品をそれぞれ第２の偏心カム及び第３の偏心カムに押し付けるように当該光学部品と光学部品保持機構の筐体との間にそれぞれ配設された弾性力を有する第２の弾性部材及び第３の弾性部材とを具え、それぞれ第２の偏心カム及び第３の偏心カムを回転させたときに第２の弾性部材及び第３の弾性部材がそれぞれ当該第２の偏心カム及び当該第３の偏心カムの形状に合わせて変形することにより、第１の軸と直交する第２の軸を中心として光学部品の横方向の傾きを調整するようにしたことにより、互いに独立した第１、第２及び第３の偏心カムとそれぞれに配設された第１、第２及び第３の弾性部材を有する第１の保持手段、第２の保持手段及び第３の保持手段を用いて直交する２軸方向の傾きを個別に調整自在に保持することができるので、偏心カムを回転するだけで光学部品の直交する２軸方向の傾き状態を容易に調整することができ、かくして光学部品の傾き調整を容易化させ得る光学部品保持装置を実現できる。
【図面の簡単な説明】
【図１】本実施の形態による透過型液晶プロジェクタ装置の構成を示す光路図である。
【図２】本実施の形態によるミラー保持機構の構成を示す略線的な斜視図である。
【図３】本実施の形態によるミラー保持機構の構成を示す略線的な上面図である。
【図４】本実施の形態によるミラー保持機構の構成を示す略線的な側面図である。
【図５】第１〜第３のカムの構成を示す側面図である。
【図６】従来のミラー保持機構の構成を示す略線的な斜視図である。
【図７】従来のミラー保持機構の構成を示す略線的な上面図である。
【図８】従来のミラー保持機構の構成を示す略線的な側面図である。
【符号の説明】
１０……透過型液晶プロジェクタ装置、１６、１８、２２……ミラー、１６Ａ、１８Ａ、２２Ａ……反射面、１９、２１、２４……液晶パネル、３０……ミラー保持機構、３１……筐体本体、３１Ａ……ベース、３２、３４、３５……カム、３２Ａ、３４Ａ、３５Ａ……回転軸、３２Ｂ、３４Ｂ、３５Ｂ……原動節、３２ＢＸ、３４ＢＸ、３５ＢＸ……周側面、３２ＢＹ、３４ＢＹ、３５ＢＹ……溝、３３Ａ〜３３Ｃ……弾性部材、Ｌ１……光ビーム、ＬB1……青色光、ＬG1……緑色光、ＬR1……赤色光、ＬB2……映像青色成分光、ＬG2……映像緑色光、ＬR2……映像赤色光。
【図１】
0004352284.tif 000002
【図２】
0004352284.tif 000003
【図３】
0004352284.tif 000004
【図４】
0004352284.tif 000005
【図５】
0004352284.tif 000006
【図６】
0004352284.tif 000007
【図７】
0004352284.tif 000008
【図８】
0004352284.tif 000009